(57)【要約】【課題】目的の封筒等を探しやすく、場所も取らない本型収納具を提供する。【解決手段】表裏の表紙１０と、表紙１０間に配置された背表紙２０と、高さが表紙１０の高さの半分以下で厚さが背表紙２０の幅以下の、上が開口した箱体３０と、を備え、箱体３０を二つ備え、表紙１０の開閉において二つの箱体３０が干渉しないように、表裏の表紙１０のうち一方の内側上部に一方の箱体３０が取付けられるとともに、表裏の表紙１０のうち他方の内側下部に他方の箱体３０が取付けられた。【選択図】図２
2020044681.tif 000002
【特許請求の範囲】
【請求項１】
表裏の表紙と、
前記表紙間に配置された背表紙と、
高さが前記表紙の高さの半分以下で厚さが前記背表紙の幅以下の、上が開口した箱体と、を備え、
前記箱体を二つ備え、前記表紙の開閉において前記二つの箱体が干渉しないように、前記表裏の表紙のうち一方の内側上部に一方の前記箱体が取付けられるとともに、前記表裏の表紙のうち他方の内側下部に他方の前記箱体が取付けられたことを特徴とする本型収納具。
【請求項２】
前記下方に取付けられた箱体の下端位置を前記表紙の下端位置と略一致させたことを特徴とする請求項１に記載の本型収納具。
【請求項３】
前記箱体の下部側方に開口を設けたことを特徴とする請求項１又は２に記載の本型収納具。
【請求項４】
前記表紙の内側のうち前記箱体が取付けられていない部位の内部又は表面に強磁性体を平面的に配置したことを特徴とする請求項１乃至３のうちいずれか一つに記載の本型収納具。
【発明の詳細な説明】
【技術分野】
【０００１】
本発明は、表紙及び背表紙を備える本型収納具に関するものである。
【背景技術】
【０００２】
個人の自宅や会社において、封筒やはがき（以下、封筒等）を受け取ることはよくある。
それらの中には読んですぐに廃棄できるものだけでなく、しばらく保管が必要なものや受け取ったときには読まずに後から読む場合も多い。
そこで、封筒等を保管するためのレタートレイが開示されている（例えば、非特許文献１参照）。
【先行技術文献】
【非特許文献】
【０００３】
【非特許文献１】イケア・ジャパン株式会社、“ＫＶＩＳＳＬＥ  クヴィッスレ”、［ｏｎｌｉｎｅ］、［平成３０年９月５日検索］、インターネット〈ＵＲＬ：ｈｔｔｐｓ：／／ｗｗｗ．ｉｋｅａ．ｃｏｍ／ｊｐ／ｊａ／ｃａｔａｌｏｇ／ｐｒｏｄｕｃｔｓ／８０２０３９５６／〉
【発明の概要】
【発明が解決しようとする課題】
【０００４】
しかしながら、必要となったときにレタートレイ内に平積みにされた封筒等の中を探しても、たくさんの封筒等の中に埋もれてしまい、目的の封筒等をなかなか見つけられないという問題がある。
また、このようなレタートレイはそれ自身が場所を取ってしまうという問題もある。
【０００５】
そこで、本発明の目的とするところは、目的の封筒等を探しやすく、場所も取らない本型収納具を提供することにある。
【課題を解決するための手段】
【０００６】
上記の目的を達成するために、本発明の請求項１に記載の本型収納具（１）は、表裏の表紙（１０）と、前記表紙（１０）間に配置された背表紙（２０）と、高さが前記表紙（１０）の高さの半分以下で厚さが前記背表紙（２０）の幅以下の、上が開口した箱体（３０）と、を備え、前記箱体（３０）を二つ備え、前記表紙（１０）の開閉において前記二つの箱体（３０）が干渉しないように、前記表裏の表紙（１０）のうち一方の内側上部に一方の前記箱体（３０）が取付けられるとともに、前記表裏の表紙（１０）のうち他方の内側下部に他方の前記箱体（３０）が取付けられたことを特徴とする。
【０００７】
また、請求項２に記載の本型収納具（１）は、前記下方に取付けられた箱体（３０）の下端位置を前記表紙（１０）の下端位置と略一致させたことを特徴とする。
【０００８】
また、請求項３に記載の本型収納具（１）は、前記箱体（３０）の下部側方に開口を設けたことを特徴とする。
【０００９】
また、請求項４に記載の本型収納具（１）は、前記表紙（１０）の内側のうち前記箱体（３０）が取付けられていない部位の内部又は表面に強磁性体を平面的に配置したことを特徴とする。
【００１０】
ここで、上記括弧内の記号は、図面および後述する発明を実施するための形態に掲載された対応要素または対応事項を示す。
【発明の効果】
【００１１】
本発明の請求項１に記載の本型収納具によれば、箱体を二つ備え、表紙の開閉において二つの箱体が干渉しないように、表裏の表紙のうち一方の内側上部に一方の箱体が取付けられるとともに、表裏の表紙のうち他方の内側下部に他方の箱体が取付けられたので、その箱体に封筒等を立てて収納することができる。
これにより、容易に目的の封筒等を見つけることができる。
さらに、本型収納具ということで自立して縦置き可能であるので、場所も取らない。
【００１２】
また、請求項２に記載の本型収納具によれば、請求項１に記載の発明の作用効果に加え、下方に取付けられた箱体の下端位置を表紙の下端位置と略一致させたので、本型収納具を立てたときにその箱体の下面が本型収納具の置き場所の上面と接触し安定する。また、長期保管の際に本型収納具全体が変形することも抑制可能である。
【００１３】
また、請求項３に記載の本型収納具によれば、請求項１に記載の発明の作用効果に加え、箱体の下部側方に開口を設けたので、箱体内部に埃等のゴミが溜まりにくい。仮に多少箱体内部に埃が入ったとしても清掃が容易である。
【００１４】
また、請求項４に記載の本型収納具によれば、請求項１に記載の発明の作用効果に加え、表紙の内側のうち箱体が取付けられていない部位の内部又は表面に強磁性体を平面的に配置したので、表紙の内側に磁石で紙等を貼付可能である。
【００１５】
なお、本発明の本型収納具のように、表紙の内側に箱体を上下に二つ備える点は、上述した非特許文献１には全く記載されていない。
【図面の簡単な説明】
【００１６】
【図１】本発明の実施形態に係る本型収納具を示す斜視図である。
【図２】図１に示す本型収納具を開いた状態を示す斜視図である。
【図３】本発明の実施形態に係る本型収納具を示す側面図である。
【図４】図２に示す本型収納具における箱体にインデックスを追加した状態を示す斜視図である。
【図５】本発明の他の実施形態に係る本型収納具を開いた状態を示す斜視図である。
【発明を実施するための形態】
【００１７】
図１乃至図４を参照して、本発明の実施形態に係る本型収納具１を説明する。
この本型収納具１は、表紙１０と、背表紙２０と、箱体３０と、を備える。
【００１８】
表紙１０は、表裏の二つ、つまり表表紙１０と裏表紙１０からなる。当然、表表紙１０と裏表紙１０は同じ形状である。
本実施形態においては、表紙１０はＡ４判よりも一回り大きく縦長となっている。表紙１０の材質は紙でもよいし、ポリプロピレン等のプラスチックでもよい。
また、表紙１０の内側の内部に強磁性体を平面的に配置した。つまり、磁石が表紙１０の内側に付くように薄い鉄の板を入れた。
【００１９】
背表紙２０は、表紙１０間に配置されており、その高さは表紙１０の高さに等しい。
また、背表紙２０と表紙１０とは折曲げ可能に接続されている。
このように背表紙２０と表紙１０とは構成されてなるので、閉じたときには平面視略コ字状となり、開いたときには平面視で裏表紙１０、背表紙２０、表表紙１０の順に略一直線状となる。
【００２０】
箱体３０は、一つの本型収納具１につき二つ設けられる。本実施形態ではその二つは同一形状である。箱体３０の左右の幅は表紙１０の左右の幅よりも短いが、横向きにした長型３号の封筒を内部に収納可能であることが好ましい。
例えば、後述するように箱体３０が上下に配置されたとき、上方の箱体３０に封筒、下方の箱体３０には（年賀）はがきや封筒といったように、整理して収納可能とした。
なお、本実施形態において左右とは、図２の状態から表紙１０を完全に開いたときの紙面左右をいう。
【００２１】
箱体３０の高さは表紙１０の高さの半分以下で、箱体３０の厚さは背表紙２０の幅以下である。
また、箱体３０の上方は開口している。
さらに、箱体３０の下部の左右側方にも開口を設けている。
【００２２】
そして、表紙１０の開閉において、特に表紙１０を閉じた状態において二つの箱体３０が干渉しないように、表裏の表紙１０のうち一方の内側上部に一方の箱体３０を取付けるとともに、表裏の表紙１０のうち他方の内側下部に他方の箱体３０を取付けた。
ここでは図２に示すように、左側の表紙１０の内側上部及び右側の表紙１０の内側下部にそれぞれ箱体３０を取付けた。
【００２３】
このとき、下方に取付けられた箱体３０の下端位置を表紙１０の下端位置と略一致させている。
つまり、下方の箱体３０の下面は、この本型収納具１が机等に置かれた場合にその机等の上面に接触する。
また、それぞれの箱体３０は、表紙１０の左右端部から左右外側に飛び出さないように取付けている。
表紙１０内側に対する箱体３０の取付け方はどのような方法であってもよく、また、表紙１０内側が箱体３０の奥壁を兼ねていてもよい。
【００２４】
箱体３０の厚さは背表紙２０の幅以下であるので、図３に示すように、表紙１０を完全に閉じることが可能である。
また、図４に示すように、箱体３０にインデックス４０を入れてもよい。これにより、封筒等の整理がさらに容易になる。
【００２５】
以上のように構成された本型収納具１によれば、箱体３０を二つ備え、表紙１０の開閉において二つの箱体３０が干渉しないように、表裏の表紙１０のうち一方の内側上部に一方の箱体３０が取付けられるとともに、表裏の表紙１０のうち他方の内側下部に他方の箱体３０が取付けられたので、その箱体３０に封筒等を立てて収納することができる。
これにより、容易に目的の封筒等を見つけることができる。
さらに、本型収納具１ということで自立して縦置き可能であるので、場所も取らない。この本型収納具１を本棚に入れることもできるし、机の上に置いても邪魔にならない。
【００２６】
また、下方に取付けられた箱体３０の下端位置を表紙１０の下端位置と略一致させたので、本型収納具１を立てたときにその箱体３０の下面が机等の上面と接触し安定する。また、長期保管の際に本型収納具１全体が変形することも抑制可能である。
【００２７】
さらに、箱体３０の下部側方に開口を設けたので、箱体３０内部に埃等のゴミが溜まりにくい。つまり、箱体３０は上方が開口しているので上方から埃が入ることを避けられないが、箱体３０下部側方の開口から埃が落ちる。仮に多少箱体３０内部に埃が入ったとしても清掃が容易である。
【００２８】
また、表紙１０の内側に強磁性体を平面的に配置したので、表紙１０の内側に磁石で紙等を貼付可能である。
よって、そのままでは箱体３０に収まり切らないＡ４判等の大きな紙も折らずに表紙１０の内側に磁石で貼り付けることができる。このとき、大きな紙の下部は箱体３０に入れていてもよい。Ａ４判までの紙を折らずに表紙１０の内側に貼り付けられることで、本型収納具１を扱うたびにＡ４判の案内状等を目に触れさせることができその内容を思い出すことができる。
【００２９】
なお、本実施形態において、左側の箱体３０を上方に、右側の箱体３０を下方に配置したが、これに限られるものではなく、図５に示すように左側の箱体３０を下方に、右側の箱体３０を上方に配置してもよい。
【００３０】
また、下方に取付けられた箱体３０の下端位置を表紙１０の下端位置と略一致させたが、これに限られるものではない。
また、箱体３０の下部側方に開口を設けたが、この開口が無くてもよい。
【００３１】
また、表紙１０の内部に強磁性体を配置したが、これに限られるものではなく、表紙１０の内部のうち、少なくとも箱体３０が取付けられていない部位の内部又は表面に強磁性体が配置されていればよい。
さらには、この強磁性体が配置されていなくてもよい。
【符号の説明】
【００３２】
１      本型収納具
１０      表紙
２０      背表紙
３０      箱体
４０      インデックス
【図１】
2020044681.tif 000003
【図２】
2020044681.tif 000004
【図３】
2020044681.tif 000005
【図４】
2020044681.tif 000006
【図５】
2020044681.tif 000007